(57)【要約】【課題】本発明は、ノイズの発生を抑制できる除湿機を提供することを目的とする。【解決手段】除湿機は、第１側面及び第２側面を備えた筐体１と、筐体１の内部に設けられた圧縮機６と、圧縮機６を駆動するための制御装置１０と、一端が圧縮機６に接続され、第１側面に沿って配線され、他端が制御装置１０に接続された圧縮機電源線９と、交流電源に接続される電源プラグ８ａに一端が接続され、第１側面に沿って配線されず、第２側面に沿って配線され、他端が制御装置１０に接続されたＡＣ電源線８と、を備えたものである。【選択図】図４
2016070599.tif 000002
【特許請求の範囲】
【請求項１】
第１側面及び第２側面を備えた筐体と、
前記筐体の内部に設けられた圧縮機と、
前記圧縮機を駆動するための制御装置と、
一端が前記圧縮機に接続され、前記第１側面に沿って配線され、他端が前記制御装置に接続された圧縮機電源線と、
交流電源に接続される電源プラグに一端が接続され、前記第１側面に沿って配線されず、前記第２側面に沿って配線され、他端が前記制御装置に接続されたＡＣ電源線と、
を備えた除湿機。
【請求項２】
前記第１側面は、前記筐体の前面側から見て左右の一方側の側面であり、
前記第２側面は、前記筐体の前面側から見て左右の他方側の側面であり、
前記制御装置は、
前記筐体の前面側に設けられた電源基板と、
前記筐体の前面側に設けられ、前記電源基板よりも前記一方側に配置され、前記電源基板と接続された制御基板と、
を備え、
前記圧縮機電源線の他端は、制御基板に接続され、
前記ＡＣ電源線の他端は、前記電源基板に接続された請求項１に記載の除湿機。
【請求項３】
前記制御基板は、前記圧縮機の出力を可変制御するインバータ回路を備えた請求項２に記載の除湿機。
【発明の詳細な説明】
【技術分野】
【０００１】
本発明は、除湿機に関するものである。
【背景技術】
【０００２】
下記特許文献１には、制御装置及び圧縮機を備えた空気調和機が記載されている。制御装置には、交流電源から電力が供給される。制御装置は、圧縮機に電力を供給する。
【先行技術文献】
【特許文献】
【０００３】
【特許文献１】特開２０１２−２３９２８９号公報
【発明の概要】
【発明が解決しようとする課題】
【０００４】
圧縮機を備えた機器において、交流電源に接続されるＡＣ電源線と圧縮機に電力を供給する圧縮機電源線とが近接して配線された場合、ノイズが発生する。圧縮機電源線における圧縮機に供給される交流電圧の波形歪による高調波成分のノイズ及びインバータ回路のスイッチング素子のＯＮ／ＯＦＦ時のスイッチングノイズなどが、圧縮機電源線と近接して配線されるＡＣ電源線に重畳され、ＡＣ電源線から外部へ伝搬されやすくなるためである。このため、圧縮機を備えた除湿機でも、同様にノイズが発生する。
【０００５】
本発明は、上記の課題を解決するためになされた。その目的は、ノイズの発生を抑制できる除湿機を提供することである。
【課題を解決するための手段】
【０００６】
本発明に係る除湿機は、第１側面及び第２側面を備えた筐体と、筐体の内部に設けられた圧縮機と、圧縮機を駆動するための制御装置と、一端が圧縮機に接続され、第１側面に沿って配線され、他端が制御装置に接続された圧縮機電源線と、交流電源に接続される電源プラグに一端が接続され、第１側面に沿って配線されず、第２側面に沿って配線され、他端が制御装置に接続されたＡＣ電源線と、を備えたものである。
【発明の効果】
【０００７】
本発明において、圧縮機電源線は、第１側面に沿って配線されている。ＡＣ電源線は、第１側面に沿って配線されず、第２側面に沿って配線されている。このため、本発明によれば、除湿機におけるノイズの発生を抑制することができる。
【図面の簡単な説明】
【０００８】
【図１】本発明の実施の形態１における除湿機の外観を示す斜視図である。
【図２】本発明の実施の形態１における除湿機の外観を示す側面図である。
【図３】本発明の実施の形態１における除湿機の内部構造を示す背面図である。
【図４】本発明の実施の形態１における除湿機の内部構造を示す斜視図である。
【図５】本発明の実施の形態１における除湿機の内部構造を示す前面図である。
【図６】本発明の実施の形態１における除湿機の内部構造を示す他の斜視図である。
【図７】本発明の実施の形態１における除湿機の水平断面図である。
【図８】本発明の実施の形態１における除湿機の垂直断面図である。
【図９】本発明の実施の形態１における除湿機の制御装置を示す構成図である。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、実施の形態１における除湿機の外観を示す斜視図である。図１は、除湿機の概ね前面側から見た外観を示している。
【００１１】
図１に示すように、除湿機は、筐体１を備えている。筐体１は、前面と上面との間に傾斜面を有している。当該傾斜面には、操作部２が設けられている。操作部２は、複数のスイッチ及び表示部３を備えている。当該複数のスイッチには、例えば、電源スイッチ等が含まれている。表示部３は、例えば、液晶ディスプレイ等である。筐体１の上面には、開閉可能な吹出口４が形成されている。吹出口４には、図示しないルーバーが設けられている。
【００１２】
図２は、実施の形態１における除湿機の外観を示す側面図である。図２は、除湿機の前面側から見て右側の側面を示している。以下、除湿機又は筐体１の前面側から見て右側の側面を「右側面」という。また、除湿機又は筐体１の前面側から見て左側の側面を「左側面」という。つまり、筐体１は、前面と背面との間に、「左側面」及び「右側面」を備えている。
【００１３】
図２に示すように、筐体１の背面には、吸込口５が形成されている。吸込口５は、筐体１の背面の上部に形成されている。吸込口５は、筐体１の背面の下部には形成されていない。吸込口５は、例えば、筐体１の背面のうち、上半分の範囲内に形成されている。
【００１４】
図３は、実施の形態１における除湿機の内部構造を示す背面図である。図３は、筐体１が取り外された状態の除湿機の背面を示している。
【００１５】
図３に示すように、除湿機は、圧縮機６及び熱交換器７を備えている。圧縮機６は、除湿機の背面側の下部に設けられている。熱交換器７は、圧縮機６よりも上方に設けられている。
【００１６】
図３に示すように、除湿機は、ＡＣ電源線８を備えている。ＡＣ電源線８の両端のうち、図示しない一端は、筐体１の外部に位置している。ＡＣ電源線８は、除湿機の背面側から見て、「左側面」と圧縮機６との間の位置から筐体１の内部に入るように配線されている。ＡＣ電源線８は、除湿機の背面側に沿って、「左側面」と圧縮機６との間から「右側面」に至る経路を通って配線されている。ＡＣ電源線８は、除湿機の背面側から見て、例えば、除湿機の背面側の下端付近の高さに配線されている。
【００１７】
図３に示すように、除湿機は、圧縮機電源線９を備えている。図３において、圧縮機電源線９は、図中に点線で示されている。以下、図３以外でも同様に、圧縮機電源線９は、図中に点線で示す。なお、図中の点線が示す長さ及び高さは一例であり、実際の圧縮機電源線９の長さ及び高さを限定するものではない。
【００１８】
圧縮機電源線９の一端は、圧縮機６に接続されている。当該一端は、例えば、圧縮機６の上端部に接続されている。圧縮機電源線９は、除湿機の背面側から見て、圧縮機６から「左側面」に至る経路を通って配線されている。圧縮機電源線９は、除湿機の背面側から見て、例えば、圧縮機６の上端部と同程度の高さに配線されている。
【００１９】
図４は、実施の形態１における除湿機の内部構造を示す斜視図である。図４は、筐体１が取り外された状態の除湿機の背面及び「左側面」を主に示している。
【００２０】
図４に示すように、圧縮機電源線９は、除湿機の「左側面」に沿って配線されている。圧縮機電源線９は、例えば、「左側面」の途中から前面に至る経路を通って配線されている。つまり、圧縮機電源線９は、圧縮機６から「左側面」に沿って前面に至る経路を通って配線されている。圧縮機電源線９は、除湿機の「左側面」に沿って、例えば、圧縮機６の上端部と同程度の高さに配線されている。
【００２１】
図５は、実施の形態１における除湿機の内部構造を示す前面図である。図５は、筐体１が取り外された状態の除湿機の前面を示している。
【００２２】
図５に示すように、除湿機は、圧縮機６を駆動するための制御装置１０を備えている。制御装置１０は、電源基板１１及び制御基板１２を備えている。電源基板１１は、除湿機の前面側に設けられている。制御基板１２は、除湿機の前面側から見て、電源基板１１よりも左側に設けられている。つまり、制御基板１２は、除湿機の前面側から見て、電源基板１１と「左側面」との間に位置している。また、除湿機は、リアクタ１３及び送風モータ１４を備えている。
【００２３】
図５に示すように、ＡＣ電源線８は、電源基板１１に接続されている。つまり、ＡＣ電源線８の両端のうち、筐体１の内部に位置する図示しない他端は、電源基板１１に接続されている。
【００２４】
図５に示すように、圧縮機電源線９の他端は、制御基板１２に接続されている。圧縮機電源線９は、例えば、除湿機の「左側面」から制御基板１２に至る経路を通って配線されている。つまり、圧縮機電源線９は、圧縮機６から除湿機の「左側面」に沿って制御基板１２に至る経路を通って配線されている。圧縮機電源線９は、除湿機の前面側から見て、例えば、制御基板１２の下端付近の高さに配線されている。
【００２５】
図６は、実施の形態１における除湿機の内部構造を示す他の斜視図である。図６は、筐体１が取り外された状態の除湿機の前面及び「右側面」を主に示している。
【００２６】
図６に示すように、ＡＣ電源線８は、除湿機の「右側面」に沿って配線されている。「右側面」に沿っているＡＣ電源線８は、前面付近までは、除湿機の下端付近の高さに配線されている。「右側面」に沿っているＡＣ電源線８は、前面付近からは、上方へ延びるようにして電源基板１１まで配線されている。つまり、ＡＣ電源線８は、除湿機の背面から「右側面」に沿って電源基板１１に至る経路を通って配線されている。
【００２７】
図７は、実施の形態１における除湿機の水平断面図である。図７は、筐体１が取り付けられている状態の除湿機の上側から見た断面を示している。図７において、ＡＣ電源線８は、図中に実線で示されている。
【００２８】
図７に示すように、ＡＣ電源線８は、圧縮機６の後方を通って配線されている。ＡＣ電源線８は、除湿機に筐体１が取り付けられた状態で、筐体１の背面及び「右側面」に沿って前面に回り込むように配線されている。ＡＣ電源線８は、除湿機に筐体１が取り付けられた状態で、筐体１の「左側面」に沿って配線されていない。
【００２９】
図７に示すように、圧縮機電源線９は、除湿機に筐体１が取り付けられた状態で、筐体１の「左側面」に沿って前面に回り込むように配線されている。圧縮機電源線９は、除湿機に筐体１が取り付けられた状態で、筐体１の「右側面」に沿って配線されていない。
【００３０】
図８は、実施の形態１における除湿機の垂直断面図である。図８は、筐体１が取り付けられている状態の除湿機の右側から見た断面を示している。
【００３１】
図８に示すように、除湿機は、熱交換器７として凝縮器７ａ及び蒸発器７ｂを備えている。凝縮器７ａ及び蒸発器７ｂは、圧縮機６の上方に配置されている。凝縮器７ａ及び蒸発器７ｂは、前後方向に並んで配置されている。蒸発器７ｂは、凝縮器７ａよりも背面側に配置されている。また、除湿機は、図示しない減圧装置を備えている。
【００３２】
圧縮機６、凝縮器７ａ、減圧装置及び蒸発器７ｂは、配管によって順に接続されている。配管には、冷媒が充填されている。圧縮機６、凝縮器７ａ、減圧装置及び蒸発器７ｂにより、除湿機の冷媒回路が構成されている。冷媒は、圧縮機６が駆動されることにより冷媒回路を循環する。
【００３３】
圧縮機６は、冷媒を圧縮する。凝縮器７ａは、圧縮機６で圧縮された冷媒を冷却する。減圧装置は、凝縮器７ａで冷却された冷媒を減圧膨張させる。蒸発器７ｂは、減圧装置で減圧膨張された冷媒への吸熱を行う。
【００３４】
図８に示すように、除湿機は、送風ファン１５を備えている。送風ファン１５は、凝縮器７ａよりも前面側に配置されている。送風ファン１５は、送風モータ１４に取り付けられている。送風ファン１５は、例えば、シロッコファンである。
【００３５】
送風モータ１４が駆動すると、送風ファン１５が回転する。送風ファン１５は、吸込口５から吹出口４へ至る空気の流れを発生させる。送風ファン１５が回転すると、吸込口５から筐体１の内部に空気が吸い込まれる。例えば、除湿機が設置された室内の空気が吸込口５から筐体の内部に吸い込まれる。吸込口５から吸い込まれた空気は、蒸発器７ｂを通過する。当該空気に含まれる水分は、蒸発器７ｂで結露することで除去される。蒸発器７ｂで結露した水分は、図示しない貯水タンクに貯留される。蒸発器７ｂで水分が除去された乾燥空気は、凝縮器７ａを通過する。凝縮器７ａを通過した乾燥空気は、送風ファン１５の上方へ向かい、吹出口４から筐体１の外部に放出される。
【００３６】
図９は、実施の形態１における除湿機の制御装置を示す構成図である。図９は、除湿機の各部の電気的な接続関係を示している。
【００３７】
図９に示すように、ＡＣ電源線８の両端のうち、電源基板１１に接続されていない一端は、電源プラグ８ａに接続されている。電源プラグ８ａは、図示しない交流電源に接続される。また、電源基板１１には、リアクタ１３が接続されている。
【００３８】
図９に示すように、制御基板１２は、電源基板１１と接続されている。制御基板１２には、圧縮機６、送風モータ１４、管温サーミスタ１６、吐出サーミスタ１７、フィンサーミスタ１８、満水検知スイッチ１９、温湿度センサ２０、冷却ファンモータ２１及びステッピングモータ２２が接続されている。
【００３９】
図９に示すように、除湿機は、操作部基板２３を備えている。操作部基板２３は、例えば、操作部２が設けられた傾斜面に沿って設けられている。操作部基板２３は、制御基板１２と接続されている。
【００４０】
管温サーミスタ１６は、蒸発器７ｂ内部の配管の温度を検出する。吐出サーミスタ１７は、圧縮機６の表面温度を検出することで、冷媒が圧縮機６から吐出されるときの温度を検出する。フィンサーミスタ１８は、制御基板１２に設けられた図示しないフィンの温度を検出する。満水検知スイッチ１９は、貯水タンク内の水量が予め設定された量に達した場合に切り替わる。温湿度センサ２０は、除湿機の周囲の温度及び湿度を検出する。温湿度センサ２０は、例えば、除湿機が設置された室内の温度及び湿度を検出する。冷却ファンモータ２１は、制御基板１２のフィンを冷却するための図示しない冷却ファンを駆動する。ステッピングモータ２２は、吹出口４に設けられたルーバーの角度を変化させる。
【００４１】
電源プラグ８ａが交流電源に接続されると、電源基板１１に交流電圧が供給される。電源基板１１には、例えば、コンバータ回路が形成されている。コンバータ回路は、交流電源から供給された交流電圧を直流電圧に変換する。リアクタ１３は、直流電圧を昇圧する。
【００４２】
制御基板１２には、例えば、インバータ回路が形成されている。インバータ回路は、コンバータ回路によって出力された直流電圧を交流電圧に変換する。インバータ回路は、圧縮機６及び送風モータ１４等に交流電圧を供給する。インバータ回路は、例えば、操作部基板２３、管温サーミスタ１６、吐出サーミスタ１７、フィンサーミスタ１８、満水検知スイッチ１９及び温湿度センサ２０等からの信号に基づいて、圧縮機６及び送風モータ１４等に供給する交流電圧の周波数を多段階に変化させる。圧縮機６は、インバータ回路から交流電圧が供給されることにより駆動される。圧縮機６の出力は、供給される交流電圧の周波数に応じて多段階に変化する。つまり、インバータ回路を備える制御基板１２は、圧縮機６の出力を可変制御する。
【００４３】
実施の形態１における圧縮機電源線９は、一端が圧縮機６に接続され、筐体１の「左側面」に沿って配線され、他端が制御装置１０に接続されている。ＡＣ電源線８は、交流電源に接続される電源プラグ８ａに一端が接続され、筐体１の「左側面」に沿って配線されず、筐体１の「右側面」に沿って配線され、他端が制御装置１０に接続されている。つまり、ＡＣ電源線８と圧縮機電源線９とが、近接して沿うことなく、離して配線されている。その結果、本発明によれば、除湿機においてノイズの発生を抑制することができる。
【００４４】
実施の形態１における電源基板１１及び制御基板１２は、除湿機において、筐体１の前面側に設けられている。制御基板１２は、前面側から見て電源基板１１よりも左側に配置され、電源基板１１と接続されている。圧縮機電源線９の他端は、制御基板１２に接続されている。ＡＣ電源線８の他端は、電源基板１１に接続されている。このように、制御装置１０は、電源基板１１と制御基板１２とに分けて設けられている。このため、制御装置１０が１つの基板である場合よりもノイズの発生を抑制することができる。また、制御装置１０に対するＡＣ電源線８及び圧縮機電源線９の接続箇所を離すことが容易となる。その結果、除湿機においてノイズの発生を抑制することができる。制御装置１０が１つの基板で構成される場合、波形歪による高調波成分のノイズを有する圧縮機電源線９及びスイッチングノイズの発生源であるインバータ回路と、ＡＣ電源線８との距離が近く、圧縮機電源線９又はインバータ回路で発生するノイズがＡＣ電源線８に重畳しやすい。しかし、制御装置１０を電源基板１１と制御基板１２とに分けると、制御基板１２におけるノイズの発生源とノイズを外部に伝搬するＡＣ電源線８との距離が大きくなるので、圧縮機電源線９又はインバータ回路で発生するノイズがＡＣ電源線８に重畳しにくく、ＡＣ電源線８から外部に伝搬されることを抑制できるためである。
【００４５】
実施の形態１における制御基板１２は、圧縮機６の出力を可変制御するインバータ回路を備えている。除湿機においてノイズの発生が抑制されていれば、インバータ回路のスイッチング素子のＯＮ／ＯＦＦを指令する信号がノイズにより乱されることを抑制できる。したがって、インバータ回路による交流電圧の周波数の制御に影響を及ぼすことが抑制できる。その結果、圧縮機６の出力を高い精度で可変制御することができる。
【００４６】
本発明における筐体１は、前面と背面との間に、第１側面及び第２側面を備えている。第１側面は、筐体１の前面側から見て左右の一方側の側面である。第２側面は、筐体１の前面側から見て左右の他方側の側面である。本発明の構成は、圧縮機電源線９が第１側面に沿って配線され、ＡＣ電源線８が第１側面に沿わずに第２側面に沿って配線されたものであればよい。このため、ＡＣ電源線８と圧縮機電源線９との左右方向における位置関係は、実施の形態１の説明とは逆であってもよい。つまり、ＡＣ電源線８が筐体１の「左側面」に沿って配線され、圧縮機電源線９が筐体１の「右側面」に沿って配線されてもよい。また、電源基板１１と制御基板１２との左右方向における位置関係は、実施の形態１の説明とは逆であってもよい。この場合であっても、ＡＣ電源線８と圧縮機電源線９とが近接して沿うことなく配線されれば、ノイズの発生を抑制することができる。
【符号の説明】
【００４７】
１  筐体、２  操作部、３  表示部、４  吹出口、５  吸込口、６  圧縮機、７  熱交換器、７ａ  凝縮器、７ｂ  蒸発器、８  ＡＣ電源線、８ａ  電源プラグ、９  圧縮機電源線、１０  制御装置、１１  電源基板、１２  制御基板、１３  リアクタ、１４  送風モータ、１５  送風ファン、１６  管温サーミスタ、１７  吐出サーミスタ、１８  フィンサーミスタ、１９  満水検知スイッチ、２０  温湿度センサ、２１  冷却ファンモータ、２２  ステッピングモータ、２３  操作部基板
【図１】
2016070599.tif 000003
【図２】
2016070599.tif 000004
【図３】
2016070599.tif 000005
【図４】
2016070599.tif 000006
【図５】
2016070599.tif 000007
【図６】
2016070599.tif 000008
【図７】
2016070599.tif 000009
【図８】
2016070599.tif 000010
【図９】
2016070599.tif 000011